(57)【要約】【課題】積雪による破損を防止することが可能な栽培ハウスを提供する。【解決手段】保持部材に保持された植物を栽培するための栽培ハウスであって、保持部材を支持する支持台と、支持台に支持された保持部材を収容する、水平軸周りに回転可能な収容体と、を備える栽培ハウス。【選択図】図１
2013021924.tif 000002
【特許請求の範囲】
【請求項１】
保持部材に保持された植物を栽培するための栽培ハウスであって、
前記保持部材を支持する支持台と、
前記支持台に支持された保持部材を収容する、水平軸周りに回転可能な収容体と、
を備える栽培ハウス。
【請求項２】
前記収容体を回転させる回転手段をさらに備える、請求項１に記載の栽培ハウス。
【請求項３】
前記回転手段は、前記収容体の外周面に接触し水平軸周りに回転可能な転動体、及び前記転動体を回転駆動する駆動源を有する、請求項２に記載の栽培ハウス。
【請求項４】
前記収容体は、水平方向に延びる円筒形状に形成されている、請求項１〜３のいずれかに記載の栽培ハウス。
【請求項５】
前記収容体は、透明であって一部が遮光されており、
前記遮光された部分は、前記収容体の軸方向に延びている、請求項１〜４のいずれかに記載の栽培ハウス。
【請求項６】
前記収容体は、支持フレーム、及び前記支持フレームに摺動可能に支持されるとともに当該収容体の軸方向に延びる複数の被覆部材を有しており、
前記各被覆部材は、前記支持フレームから取り外すことができる、請求項１〜５のいずれかに記載の栽培ハウス。
【発明の詳細な説明】
【技術分野】
【０００１】
本発明は、保持部材に保持された植物を栽培するための栽培ハウスに関する。
【背景技術】
【０００２】
従来、農作物等の植物を降雨等から保護し、あるいは温度環境を調整する等の目的で施設園芸が広く行われており、この施設園芸においては一般的に栽培ハウスが用いられている。この栽培ハウスは、例えば特許文献１に示されるように、アーチ状のフレームをビニールシートで覆い、栽培する植物をその内部に収容する構成となっている。
【先行技術文献】
【特許文献】
【０００３】
【特許文献１】特開２００３−６１４８１号公報
【発明の概要】
【発明が解決しようとする課題】
【０００４】
しかしながら、上述したような栽培ハウスは、降雪量の多い寒冷地で用いられた場合、屋根部分に多量の雪が積もり、雪の重量で破損してしまうという問題があった。
【０００５】
そこで、本発明は、積雪による破損を防止することが可能な栽培ハウスを提供することを課題とする。
【課題を解決するための手段】
【０００６】
本発明は、上記課題を解決するためになされたものであり、保持部材に保持された植物を栽培するための栽培ハウスであって、前記保持部材を支持する支持台と、前記支持台に支持された保持部材を収容する、水平軸周りに回転可能な収容体と、を備えている。
【０００７】
上記栽培ハウスは、収容体を水平軸周りに回転させることで収容体に積もる雪を落下させることができるため、積雪により収容体が破損するのを防止することができる。また、収容体が回転することで台風等の際にも風の影響を受けにくく、暴風による収容体の破損を防止することができる。なお、本発明における「保持部材」は、植物を保持することができるものであればよく、例えば、中空の箱状のものや、パネル状のもの、プランタ等も含む概念である。
【０００８】
また、上記栽培ハウスは、収容体を自動で回転させることができるよう、収容体を回転させる回転手段をさらに備えることができる。
【０００９】
上記回転手段は、収容体の外周面に接触し水平軸周りに回転可能な転動体、及び転動体を回転駆動する駆動源を有していてもよい。
【００１０】
また、上記栽培ハウスにおいて、収容体は、水平方向に延びる円筒形状に形成されることが好ましい。この構成によれば、収容体に積もる雪を確実に落下させることができる。
【００１１】
また、上記栽培ハウスは、収容体が透明であって一部が遮光されており、この遮光された部分が収容体の軸方向に延びるよう構成されていてもよい。この構成によれば、必要に応じて収容体を回転させ遮光された部分を収容体内の植物の上部に配置することで、収容体内の植物に照射される光量や植物に対する日照時間を制限することができる。なお、本発明の「遮光」とは、完全に光を遮断する場合だけではなく、例えば、薄手の布や寒冷紗等を用いて光を一部遮断する場合も含む概念である。また、本発明において「収容体の一部を遮光する」とは、収容体の一部を遮光材で形成することや、収容体の外側面又は内側面を遮光材で覆うこと等を含む。
【００１２】
また、上記栽培ハウスは、収容体が、支持フレーム、及びこの支持フレームに摺動可能に支持されるとともに収容体の軸方向に延びる複数の被覆部材を有し、各被覆部材を支持フレームから取り外すことができるよう構成することができる。これにより、被覆部材を容易に交換することができ、また、各々異なる材質の被覆部材で収容体を構成することもできる。なお、被覆部材としては、例えば、ビニールシート、遮光材、断熱材等、種々のものを用いることができる。
【発明の効果】
【００１３】
本発明によれば、積雪による栽培ハウスの破損を防止することができる。
【図面の簡単な説明】
【００１４】
【図１】本発明の実施形態に係る栽培ハウスの一部を示す、斜視透視図である。
【図２】本発明の実施形態に係る栽培ハウスの正面断面図である。
【図３】本発明の実施形態に係る栽培ハウスの側面断面図である。
【図４】本発明の実施形態に栽培ハウスにおける回転手段の（ａ）正面図、及び（ｂ）側面断面図である。
【図５】本発明の実施形態に栽培ハウスにおける保持部材の正面断面図である。
【図６】上記実施形態の変形例に係る栽培ハウスにおける円筒部の斜視図である。
【図７】上記実施形態の変形例に係る栽培ハウスの正面断面図である。
【図８】上記実施形態の変形例に係る栽培ハウスの側面断面図である。
【発明を実施するための形態】
【００１５】
以下、本発明に係る栽培ハウスの実施形態について図面を参照しつつ説明する。
【００１６】
本実施形態に係る栽培ハウス１は、図１に示すように、植物Ｐを保持する保持部材４を支持するための支持台２と、支持台２上の保持部材４を収容する収容体３と、を備えている。
【００１７】
支持台２は、図１及び図２に示すように、複数の保持部材４が載置される載置部２１と、この載置部２１を支持する複数の脚部２２とを備えている。載置部２１は、載置された保持部材４を水平方向に搬送することができるよう、駆動源（図示省略）によって駆動される複数の円筒コロ２１１を有している。各脚部２２には、収容体３を水平軸周りに回転させられるよう、後述する回転手段５が取り付けられている。
【００１８】
図３に示すように、支持台２の少なくとも一方の端部には、各保持部材４を昇降させるための昇降機構６が設けられていてもよい。この昇降機構６は、例えば、保持部材４を収容する昇降ケージ６１をチェーン６２の巻き取り及び送り出しにより昇降させるよう構成されており、さらに、この昇降ケージ６１が保持部材４ごと反転可能に構成されていてもよい。このように昇降ゲージ６１を反転させる場合は、昇降ゲージ６１の下方に液体が貯留される貯留槽７が設けられていることが好ましく、これにより、植物Pを貯留槽７内の液体に浸漬し、例えば、害虫駆除や、葉面施肥、有害物質の除去等を行うことができる。
【００１９】
収容体３は、図１及び図２に示すように、複数の円筒部３１から成り、各円筒部３１は支持台２の脚部２２間に配置されている。各円筒部３１は、図１及び図３に示すように、複数の環状フレーム３１１、及び複数の環状フレーム３１１を連結する複数の水平フレーム３１２を有しており、これらの環状フレーム３１１及び水平フレーム３１２を透明のビニールシート３１３で覆った構成となっている。また、各円筒部３１の両端の環状フレーム３１１は、図４（ａ）に示すように、後述の回転手段５の転動体５１が係合するための係合溝３１４が周縁部に形成されている。なお、収容体３は単一の円筒部で構成されていてもよく、少なくとも一つの開閉可能な換気口が設けられていることが好ましい。
【００２０】
回転手段５は、図１に示すように、各円筒部３１を回転可能に支持している。より詳細には、回転手段５は、図２及び図４に示すように、各円筒部３１の両端の環状フレーム３１１における係合溝３１４に係合する複数の転動体５１と、回転軸５２を介して各転動体５１を水平軸周りに回転させる駆動源５３と、を備えている。回転軸５２は、図１及び図４（ｂ）に示すように、支持台２の脚部２２を貫通するとともに複数の円筒部３１に亘って水平方向に並ぶ、複数の転動体５１を連結しており、駆動源５３により駆動された際に複数の円筒部３１を同時に回転させる。なお、駆動源５３は、一部の回転軸５２にのみ設けることもできる。
【００２１】
保持部材４は、図５に示すように、中空の箱状であり、上下に分割されている。保持部材４の上面には複数の貫通孔４１が設けられており、この貫通孔４１によって、葉茎部が保持部材４の上面に露出するとともに根部が保持部材４の内部に収納されるよう植物Ｐが保持される。保持部材４は、内部に培養液を注入するための注入管４２、及び内部から培養液を排出するための排出管４３を有しており、この注入管４２を介して培養液タンク（図示省略）から内部に培養液が注入され、排出管４３を介して内部から排出された培養液が排出樋（図示省略）を経て培養液タンク（図示省略）に戻されるよう構成されている。保持部材４内に注入される培養液としては、特に限定されるものではないが、水の他、窒素、リン酸、若しくはカリ等の化学肥料、又は堆肥抽出液若しくは動植物の発酵液等の有機肥料を適当な溶媒に溶解させたものを使用することができ、天然の植物生長促進剤又は天然の害虫忌避剤を添加することもできる。なお、保持部材４の内部には必要に応じてシート状の保水材（図示省略）を収納しておくことができ、この保水材としては、特に限定されるものではないが、例えば、発泡スチロールチップや、発砲ポリウレタンチップ、スポンジチップ、糸玉、紙片、又は繊維マット等が挙げられる。
【００２２】
保持部材４の形状は、特に限定されるものではないが、例えば、縦３００〜５０００ｍｍ×横１００〜１０００ｍｍ×高さ１０〜１００ｍｍの直方体状とすることができ、側壁の厚さを１０〜１５０ｍｍとすることができる。また、貫通孔４１の大きさとしては、例えば、直径１０〜２００ｍｍとすることができ、各貫通孔４１間の間隔は、例えば、５０〜６００ｍｍとすることができる。保持部材４の材質としては、断熱性を有するものが好ましいが特に限定されるものではなく、例えば、ポリスチレン樹脂、ポリウレタン樹脂、又はポリエチレン樹脂等の合成樹脂発泡体や、合成樹脂発泡体と、合成樹脂板、木板、又はステンレス等の金属板との複合材等を用いることができ、合成樹脂発泡体で保持部材４を形成した場合は、保持部材４の表面にポリウレタン樹脂塗料（登録商標リボールマイティ）等の防水塗料を塗布することが好ましい。
【００２３】
次に、上述したように構成された栽培ハウス１の使用方法について説明する。
【００２４】
上記栽培ハウス１を使用する場合、植物Ｐを保持した複数の保持部材４を支持台２の載置部２１に載置し、収容体３内で植物Ｐを栽培する（図１）。そして、必要に応じて駆動源５３を駆動すると回転軸５２及び転動体５１が回転し、これにより、収容体３の複数の円筒部３１が水平軸周りに回転する。
【００２５】
以上のように、本実施形態に係る栽培ハウス１は、収容体３を水平軸周りに回転させることができるため、降雪の際、収容体３に積もる雪を落下させることができる。これにより、収容体３が雪の重量で破損するのを防止することができる。また、本実施形態に係る栽培ハウス１は、収容体３が回転することで台風等の際にも風の影響を受けにくく、暴風により収容体３が破損するのを防止することもできる。さらに、本実施形態に係る栽培ハウス１は、従来の栽培ハウスと比較してフレームの数を少なくすることもでき、従来はコストの観点から使用することができなかったステンレス等をフレームに使用することができる。
【００２６】
以上、本発明の実施形態について説明したが、本発明はこれらに限定されるものではなく、本発明の趣旨を逸脱しない限りにおいて種々の変更が可能である。例えば、上記実施形態においては、収容体３の各円筒部３１には透明のビニールシート３１３が用いられていたが、半透明や不透明の資材を用いてもよい。
【００２７】
また、上記実施形態において、円筒部３１の少なくとも一部、好ましくは半周を、円筒部３１の軸方向に延びる遮光材で形成し、あるいは遮光材で覆うこともできる。遮光材としては、光を完全に遮断するものだけでなく、例えば寒冷紗のように、光を一部遮断するものも使用することができる。この構成によれば、遮光材が上部に位置するよう円筒部３１を回転させることで、光を完全に遮断する遮光材の場合は植物Ｐに対する日照時間を調整することができ、光を一部遮断する遮光材の場合は植物Ｐに対する光量を制限することができる。なお、この遮光材に代えて断熱材を使用してもよい。すなわち、円筒部３１の少なくとも一部、好ましくは半周を円筒部３１の軸方向に延びる断熱材で形成又は被覆すれば、外部からの冷気や熱気を遮断することができる。
【００２８】
また、図６に示すように、収容体の円筒部３０１が、支持フレーム３０１１、及び支持フレーム３０１１に摺動可能に支持されるとともに円筒部３０１の軸方向に延びる複数の被覆部材３０１２を有するよう構成されていてもよい。この構成によれば、被覆部材３０１２を容易に交換することが可能となり、また、複数の被覆部材３０１２の一部を取り外せば、その取り外した部分を換気口として用いることができる。なお、被覆部材３０１２の材質としては、特に限定されるものではないが、例えば、ビニールシート、遮光材、断熱材等、種々のものを用いることができ、複数の被覆部材３０１２全てが同じ材質で作製される必要はない。
【００２９】
また、収容体３の内部において、少なくとも一層の断熱部８を支持台２に取り付けることもできる。この断熱部８は、図７（ａ）に示すように、載置部２１全体を覆うように設けられていてもよく、また、図７（ｂ）に示すように、載置部２１の上半分を覆うように設けられていてもよい。この構成によれば、栽培ハウスの断熱性を向上させることができる。なお、断熱部８は、特に限定されるものではないが、例えば、ビニールシート等透明の資材で作製することができる。
【００３０】
また、上記実施形態において、例えばブラシやモップといった清掃器具を、収容体３の外周面に当接するよう設けることもできる。これにより、収容体３を回転させることで収容体３の外周面を容易に清掃することができる。
【００３１】
また、上記実施形態においては、駆動源５３により収容体３の複数の円筒部３１を同時に回転させていたが、各円筒部３１を個別に回転させるよう構成することもでき、さらに、収容体３を手動又は風力等で回転させることもできる。
【００３２】
また、上記実施形態においては、収容体３は円筒形状に形成されていたが、水平軸周りに回転可能であれば、多角形状等に形成されていてもよい。
【００３３】
また、上記実施形態においては、支持台２の載置部２１は一段であったが、図８に示す栽培ハウス１０のように、支持台２０に載置部２０１を複数設けることもできる。この場合、支持台２０の両端に昇降機構６を設け、少なくとも一方の昇降機構６が保持部材４を反転させることができるよう構成することが好ましい。
【００３４】
また、上記実施形態においては、保持部材４として中空の箱状のものを用いていたが、植物Ｐを保持することができればこれに限定されず、パネル状のものや、プランタ等、種々のものを保持部材として用いることができる。
【符号の説明】
【００３５】
１，１０      栽培ハウス
２，２０      支持台
３            収容体
４            保持部材
５            回転手段
５１          転動体
５３          駆動源
３０１１      支持フレーム
３０１２      被覆部材
【図１】
2013021924.tif 000003
【図２】
2013021924.tif 000004
【図３】
2013021924.tif 000005
【図４】
2013021924.tif 000006
【図５】
2013021924.tif 000007
【図６】
2013021924.tif 000008
【図７】
2013021924.tif 000009
【図８】
2013021924.tif 000010